(57)【要約】【課題】受信映像信号を記録しながら、以前に記録した映像信号を再生映像信号として出力可能な映像信号記録再生装置について、再生映像信号から受信映像信号への切り替えを自動で行う。【解決手段】カット可能部分検出部（１９）は、受信映像信号におけるコマーシャル映像を検出する。カット可能部分識別部（１９）は、ハードディスクドライブ（１５）から再生される再生映像信号が、カット可能部分検出部（１９）が検出したコマーシャル映像に属するか否かを識別する。切替判断部（２０）は、カット可能部分検出部（１６）の検出結果およびカット可能部分識別部（１９）の識別結果を受け、再生映像信号および受信映像信号がいずれも同じコマーシャル映像に含まれると判断したとき、出力切替部（２１）に対して映像信号の切り替えを指示する。【選択図】図１
2005198203.tif 000002
【特許請求の範囲】
【請求項１】
受信映像信号を記録しながら、前記受信映像信号および記録された受信映像信号を再生したものである再生映像信号のいずれか一方を選択的に出力する映像信号記録再生装置であって、
前記再生映像信号の出力中に、前記受信映像信号および前記再生映像信号が所定の条件を満たすか否かを検証し、当該所定の条件が満たされるとき、出力を前記受信映像信号に切り替える判断をする切替判断部を備えた
ことを特徴とする映像信号記録再生装置。
【請求項２】
請求項１に記載の映像信号記録再生装置において、
前記受信映像信号に重畳される時刻情報を生成する時刻情報生成部と、
前記記録された受信映像信号に重畳された時刻情報を抽出する時刻情報抽出部とを備え、
前記切替判断部は、前記時刻情報生成部から得た時刻と前記時刻情報抽出部から得た時刻との時間差を算出し、当該時間差と所定値との大小比較を行い、当該時間差が当該所定値以下のとき、出力切り替えの判断をする
ことを特徴とする映像信号記録再生装置。
【請求項３】
請求項１に記載の映像信号記録再生装置において、
前記受信映像信号に重畳される時刻情報を生成する時刻情報生成部と、
前記受信映像信号におけるカット可能部分を検出し、前記時刻情報生成部から時刻情報を受けて、前記検出したカット可能部分の開始および終了の時刻情報を記録するカット可能部分検出部と、
前記記録された受信映像信号に重畳された時刻情報を抽出する時刻情報抽出部と、
前記カット可能部分検出部によって記録された時刻情報および前記時刻情報抽出部によって抽出された時刻情報に基づいて、前記再生映像信号が前記カット可能部分検出部によって検出されたカット可能部分に属するか否かを識別するカット可能部分識別部とを備え、
前記切替判断部は、前記カット可能部分検出部によって検出されたカット可能部分と前記カット可能部分識別部によって識別されたカット可能部分とが一致するとき、出力切り替えの判断をする
ことを特徴とする映像信号記録再生装置。
【請求項４】
請求項１に記載の映像信号記録再生装置において、
前記受信映像信号に重畳される時刻情報を生成する時刻情報生成部と、
前記受信映像信号におけるカット可能部分を検出し、前記時刻情報生成部から時刻情報を受けて、前記検出したカット可能部分の開始および終了の時刻情報を記録するカット可能部分検出部と、
前記記録された受信映像信号に重畳された時刻情報を抽出する時刻情報抽出部と、
前記カット可能部分検出部によって記録された時刻情報および前記時刻情報抽出部によって抽出された時刻情報に基づいて、前記再生映像信号が前記カット可能部分検出部によって検出されたカット可能部分に属するか否かを識別するカット可能部分識別部とを備え、
前記切替判断部は、前記カット可能部分識別部から、前記再生映像信号が前記カット可能部分検出部によって検出されたカット可能部分に属するとの識別結果を受けたとき、前記時刻情報生成部から得た時刻と前記時刻情報抽出部から得た時刻との時間差を算出し、当該時間差と所定値との大小比較を行い、当該時間差が当該所定値以下のとき、出力切り替えの判断をする
ことを特徴とする映像信号記録再生装置。
【請求項５】
請求項３または４に記載の映像信号記録再生装置において、
前記カット可能部分は、コマーシャル映像である
ことを特徴とする映像信号記録再生装置。
【請求項６】
請求項３または４に記載の映像信号記録再生装置において、
前記カット可能部分は、画像および音声が所定時間以上、一定状態である部分である
ことを特徴とする映像信号記録再生装置。
【請求項７】
請求項１に記載の映像信号記録再生装置において、
前記切替判断部の判断に基づいて、出力を前記再生映像信号から前記受信映像信号に切り替える出力切替部を備えた
ことを特徴とする映像信号記録再生装置。
【請求項８】
受信映像信号を受け、前記受信映像信号をストレージ装置に記録しながら、前記受信映像信号および前記ストレージ装置から読み出したデータを復号した再生映像信号のいずれか一方を選択的に出力する半導体集積回路であって、
前記再生映像信号を出力中に、前記受信映像信号および前記再生映像信号が所定の条件を満たすか否かを検証し、当該所定の条件が満たされるとき、出力を前記受信映像信号に切り替える判断をする切替判断部を備えた
ことを特徴とする半導体集積回路。
【請求項９】
請求項８に記載の半導体集積回路において、
前記受信映像信号に重畳される時刻情報を生成する時刻情報生成部と、
前記ストレージ装置から読み出したデータに重畳された時刻情報を抽出する時刻情報抽出部とを備え、
前記切替判断部は、前記時刻情報生成部から得た時刻と前記時刻情報抽出部から得た時刻との時間差を算出し、当該時間差と所定値との大小比較を行い、当該時間差が当該所定値以下のとき、出力切り替えの判断をする
ことを特徴とする半導体集積回路。
【請求項１０】
請求項８に記載の半導体集積回路において、
前記受信映像信号に重畳される時刻情報を生成する時刻情報生成部と、
前記受信映像信号におけるカット可能部分を検出し、前記時刻情報生成部から時刻情報を受けて、前記検出したカット可能部分の開始および終了の時刻情報を記録するカット可能部分検出部と、
前記ストレージ装置から読み出したデータに重畳された時刻情報を抽出する時刻情報抽出部と、
前記カット可能部分検出部によって記録された時刻情報および前記時刻情報抽出部によって抽出された時刻情報に基づいて、前記再生映像信号が前記カット可能部分検出部によって検出されたカット可能部分に属するか否かを識別するカット可能部分識別部とを備え、
前記切替判断部は、前記カット可能部分検出部によって検出されたカット可能部分と前記カット可能部分識別部によって識別されたカット可能部分とが一致するとき、出力切り替えの判断をする
ことを特徴とする半導体集積回路。
【請求項１１】
請求項８に記載の半導体集積回路において、
前記受信映像信号に重畳される時刻情報を生成する時刻情報生成部と、
前記受信映像信号におけるカット可能部分を検出し、前記時刻情報生成部から時刻情報を受けて、前記検出したカット可能部分の開始および終了の時刻情報を記録するカット可能部分検出部と、
前記ストレージ装置から読み出したデータに重畳された時刻情報を抽出する時刻情報抽出部と、
前記カット可能部分検出部によって記録された時刻情報および前記時刻情報抽出部によって抽出された時刻情報に基づいて、前記再生映像信号が前記カット可能部分検出部によって検出されたカット可能部分に属するか否かを識別するカット可能部分識別部とを備え、
前記切替判断部は、前記カット可能部分識別部から、前記再生映像信号が前記カット可能部分検出部によって検出されたカット可能部分に属するとの識別結果を受けたとき、前記時刻情報生成部から得た時刻と前記時刻情報抽出部から得た時刻との時間差を算出し、当該時間差と所定値との大小比較を行い、当該時間差が当該所定値以下のとき、出力切り替えの判断をする
ことを特徴とする半導体集積回路。
【請求項１２】
請求項１０または１１に記載の半導体集積回路において、
前記カット可能部分は、コマーシャル映像である
ことを特徴とする半導体集積回路。
【請求項１３】
請求項１０または１１に記載の半導体集積回路において、
前記カット可能部分は、画像および音声が所定時間以上、一定状態である部分である
ことを特徴とする半導体集積回路。
【請求項１４】
請求項８に記載の半導体集積回路において、
前記切替判断部の判断に基づいて、出力を前記再生映像信号から前記受信映像信号に切り替える出力切替部を備えた
ことを特徴とする半導体集積回路。
【請求項１５】
受信映像信号を受け、前記受信映像信号をストレージ装置に記録しながら、前記受信映像信号および前記ストレージ装置から読み出したデータを復号した再生映像信号のいずれか一方を選択的に出力する映像信号記録再生方法であって、
前記再生映像信号を出力中に、前記受信映像信号および前記再生映像信号が所定の条件を満たすか否かを検証し、当該所定の条件が満たされるとき、出力を前記受信映像信号に切り替える判断をする切替判断ステップを備えた
ことを特徴とする映像信号記録再生方法。
【請求項１６】
請求項１５に記載の映像信号記録再生方法において、
前記受信映像信号に重畳される時刻情報を生成する時刻情報生成ステップと、
前記ストレージ装置から読み出したデータに重畳された時刻情報を抽出する時刻情報抽出ステップとを備え、
前記切替判断ステップは、前記時刻情報生成ステップによって生成された時刻と前記時刻情報抽出ステップによって抽出された時刻との時間差を算出し、当該時間差と所定値との大小比較を行い、当該時間差が当該所定値以下のとき、出力切り換えの判断をする
ことを特徴とする映像信号記録再生方法。
【請求項１７】
請求項１５に記載の映像信号記録再生方法において、
前記受信映像信号に重畳される時刻情報を生成する時刻情報生成ステップと、
前記受信映像信号におけるカット可能部分を検出し、前記時刻情報生成ステップによって生成された時刻情報を受けて、前記検出したカット可能部分の開始および終了の時刻情報を記録するカット可能部分検出ステップと、
前記ストレージ装置から読み出したデータに重畳された時刻情報を抽出する時刻情報抽出ステップと、
前記カット可能部分検出ステップによって記録された時刻情報および前記時刻情報抽出ステップによって抽出された時刻情報に基づいて、前記再生映像信号が前記カット可能部分検出ステップによって検出されたカット可能部分に属するか否かを識別するカット可能部分識別ステップとを備え、
前記切替判断ステップは、前記カット可能部分検出ステップによって検出されたカット可能部分と前記カット可能部分識別ステップによって識別されたカット可能部分とが一致するとき、出力切り替えの判断をする
ことを特徴とする映像信号記録再生方法。
【請求項１８】
請求項１５に記載の映像信号記録再生方法において、
前記受信映像信号に重畳される時刻情報を生成する時刻情報生成ステップと、
前記受信映像信号におけるカット可能部分を検出し、前記時刻情報生成ステップによって生成された時刻情報を受けて、前記検出したカット可能部分の開始および終了の時刻情報を記録するカット可能部分検出ステップと、
前記ストレージ装置から読み出したデータに重畳された時刻情報を抽出する時刻情報抽出ステップと、
前記カット可能部分検出ステップによって記録された時刻情報および前記時刻情報抽出ステップによって抽出された時刻情報に基づいて、前記再生映像信号が前記カット可能部分検出ステップによって検出されたカット可能部分に属するか否かを識別するカット可能部分識別ステップとを備え、
前記切替判断ステップは、前記カット可能部分識別ステップによって、前記再生映像信号が前記カット可能部分検出ステップによって検出されたカット可能部分に属すると識別されたとき、前記時刻情報生成ステップによって生成された時刻と前記時刻情報抽出ステップによって抽出された時刻との時間差を算出し、当該時間差と所定値との大小比較を行い、当該時間差が当該所定値以下のとき、出力切り替えの判断をする
ことを特徴とする映像信号記録再生方法。
【請求項１９】
請求項１７または１８に記載の映像信号記録再生方法において、
前記カット可能部分は、コマーシャル映像である
ことを特徴とする映像信号記録再生方法。
【請求項２０】
請求項１７または１８に記載の映像信号記録再生方法において、
前記カット可能部分は、画像および音声が所定時間以上、一定状態である部分である
ことを特徴とする映像信号記録再生方法。
【請求項２１】
請求項１５に記載の映像信号記録再生方法において、
前記切替判断ステップの判断に基づいて、出力を前記再生映像信号から前記受信映像信号に切り替える出力切替ステップを備えた
ことを特徴とする映像信号記録再生方法。
【発明の詳細な説明】
【技術分野】
【０００１】
本発明は、映像信号記録再生装置に関し、特に、受信したテレビジョン信号に対して圧縮符号化を行って得た圧縮ストリームデータをストレージ装置に記録しながら、記録された圧縮ストリームデータを再生して当該再生映像信号を出力するといった、いわゆるタイムシフト再生が可能な映像信号記録再生装置に関する。
【背景技術】
【０００２】
図４は、従来の映像信号記録再生装置の構成を示す。従来の映像信号記録再生装置において、システムコントローラ１０１は、アンテナ１０２から受けたテレビジョン信号をチューナ１０３および復調器１０４で処理して得られた受信映像信号と、この受信映像信号をＭＰＥＧ１エンコーダ１０５によって圧縮符号化してハードディスクドライブ１０６に記録し、これを再生してＭＰＥＧ１デコーダ１０７で復号化して得られた再生映像信号とを、操作パネル１０８から入力される視聴者の操作指令に従って切り替えてテレビモニタ１０９に表示するように制御している。さらに、再生に関して、操作パネル１０８からの視聴者操作に従ってシステムコントローラ１０１が指令を出し、詳細に見たい部分をゆっくり再生したり、不要な部分を飛ばして再生する、いわゆる飛ばし見再生をしたりすることができる（たとえば、特許文献１参照）。
【特許文献１】特開平８−１３８３１８号公報（第４頁、第１図）
【発明の開示】
【発明が解決しようとする課題】
【０００３】
従来の映像信号記録再生装置では、受信映像信号の圧縮符号化、ハードディスクドライブへの記録、ハードディスクドライブからの再生および圧縮符号化データの復号化を行うためにある程度の時間が必要であるため、早送り再生や飛ばし見再生などを行っても、決して再生映像信号が受信中の受信映像信号に完全に追いつくことはない。したがって、早送り再生や飛ばし見再生によって再生映像信号が受信映像信号に極めて近づいた場合であっても、視聴者自らが映像の切り替えを行わない限り、番組終了まで再生映像を視聴することとなる。特に、アナログ放送の場合、圧縮符号化された再生映像信号は、画質および音質ともに受信映像信号よりも品質劣化するため、視聴者は、品質劣化した再生映像を視聴し続けることとなる。
【０００４】
上記問題に鑑み、本発明は、映像信号記録再生装置および方法について、早送り再生や飛ばし見再生などによって再生映像信号が受信映像信号に近づいたときに、出力を再生映像信号から受信映像信号に自動的または半自動的に切り替えることを課題とする。
【課題を解決するための手段】
【０００５】
上記課題を解決するために講じた手段は、受信映像信号を記録しながら、前記受信映像信号および記録された受信映像信号を再生したものである再生映像信号のいずれか一方を選択的に出力する映像信号記録再生装置として、前記再生映像信号の出力中に、前記受信映像信号および前記再生映像信号が所定の条件を満たすか否かを検証し、当該所定の条件が満たされるとき、出力を前記受信映像信号に切り替える判断をする切替判断部を備えたものとする。
【０００６】
また、受信映像信号を受け、前記受信映像信号をストレージ装置に記録しながら、前記受信映像信号および前記ストレージ装置から読み出したデータを復号した再生映像信号のいずれか一方を選択的に出力する半導体集積回路として、前記再生映像信号を出力中に、前記受信映像信号および前記再生映像信号が所定の条件を満たすか否かを検証し、当該所定の条件が満たされるとき、出力を前記受信映像信号に切り替える判断をする切替判断部を備えたものとする。
【０００７】
そして、受信映像信号を受け、前記受信映像信号をストレージ装置に記録しながら、前記受信映像信号および前記ストレージ装置から読み出したデータを復号した再生映像信号のいずれか一方を選択的に出力する映像信号記録再生方法として、前記再生映像信号を出力中に、前記受信映像信号および前記再生映像信号が所定の条件を満たすか否かを検証し、当該所定の条件が満たされるとき、出力を前記受信映像信号に切り替える判断をする切替判断ステップを備えたものとする。
【０００８】
これらによると、再生映像信号を出力中に、受信映像信号および再生映像信号が所定の条件を満たすとき、切替判断部また切替判断ステップによって、出力を受信映像信号に切り替える判断がなされる。そして、この判断に基づいて、自動的または半自動的に出力を切り替えることが可能となる。
【０００９】
好ましくは、上記の映像信号記録再生装置は、前記受信映像信号に重畳される時刻情報を生成する時刻情報生成部と、前記記録された受信映像信号に重畳された時刻情報を抽出する時刻情報抽出部とを備えたものとする。そして、前記切替判断部は、前記時刻情報生成部から得た時刻と前記時刻情報抽出部から得た時刻との時間差を算出し、当該時間差と所定値との大小比較を行い、当該時間差が当該所定値以下のとき、出力切り替えの判断をするものとする。
【００１０】
また、好ましくは、上記の半導体集積回路は、前記受信映像信号に重畳される時刻情報を生成する時刻情報生成部と、前記ストレージ装置から読み出したデータに重畳された時刻情報を抽出する時刻情報抽出部とを備えたものとする。そして、前記切替判断部は、前記時刻情報生成部から得た時刻と前記時刻情報抽出部から得た時刻との時間差を算出し、当該時間差と所定値との大小比較を行い、当該時間差が当該所定値以下のとき、出力切り替えの判断をするものとする。
【００１１】
また、好ましくは、前記受信映像信号に重畳される時刻情報を生成する時刻情報生成ステップと、前記ストレージ装置から読み出したデータに重畳された時刻情報を抽出する時刻情報抽出ステップとを備えたものとする。そして、前記切替判断ステップは、前記時刻情報生成ステップによって生成された時刻と前記時刻情報抽出ステップによって抽出された時刻との時間差を算出し、当該時間差と所定値との大小比較を行い、当該時間差が当該所定値以下のとき、出力切り換えの判断をするものとする。
【００１２】
これらによると、再生映像信号を高速再生中に、再生映像信号と受信映像信号との時間差が所定値以下となったとき、出力を受信映像信号に切り替える判断がなされる。
【００１３】
好ましくは、上記の映像信号記録再生装置は、前記受信映像信号に重畳される時刻情報を生成する時刻情報生成部と、前記受信映像信号におけるカット可能部分を検出し、前記時刻情報生成部から時刻情報を受けて、前記検出したカット可能部分の開始および終了の時刻情報を記録するカット可能部分検出部と、前記記録された受信映像信号に重畳された時刻情報を抽出する時刻情報抽出部と、前記カット可能部分検出部によって記録された時刻情報および前記時刻情報抽出部によって抽出された時刻情報に基づいて、前記再生映像信号が前記カット可能部分検出部によって検出されたカット可能部分に属するか否かを識別するカット可能部分識別部とを備えたものとする。そして、前記切替判断部は、前記カット可能部分検出部によって検出されたカット可能部分と前記カット可能部分識別部によって識別されたカット可能部分とが一致するとき、出力切り替えの判断をするものとする。
【００１４】
また、好ましくは、上記の半導体集積回路は、前記受信映像信号におけるカット可能部分を検出し、前記時刻情報生成部から時刻情報を受けて、前記検出したカット可能部分の開始および終了の時刻情報を記録するカット可能部分検出部と、前記ストレージ装置から読み出したデータに重畳された時刻情報を抽出する時刻情報抽出部と、前記カット可能部分検出部によって記録された時刻情報および前記時刻情報抽出部によって抽出された時刻情報に基づいて、前記再生映像信号が前記カット可能部分検出部によって検出されたカット可能部分に属するか否かを識別するカット可能部分識別部とを備えたものとする。そして、前記切替判断部は、前記カット可能部分検出部によって検出されたカット可能部分と前記カット可能部分識別部によって識別されたカット可能部分とが一致するとき、出力切り替えの判断をするものとする。
【００１５】
また、好ましくは、上記の映像信号記録再生方法は、前記受信映像信号に重畳される時刻情報を生成する時刻情報生成ステップと、前記受信映像信号におけるカット可能部分を検出し、前記時刻情報生成ステップによって生成された時刻情報を受けて、前記検出したカット可能部分の開始および終了の時刻情報を記録するカット可能部分検出ステップと、前記ストレージ装置から読み出したデータに重畳された時刻情報を抽出する時刻情報抽出ステップと、前記カット可能部分検出ステップによって記録された時刻情報および前記時刻情報抽出ステップによって抽出された時刻情報に基づいて、前記再生映像信号が前記カット可能部分検出ステップによって検出されたカット可能部分に属するか否かを識別するカット可能部分識別ステップとを備えたものとする。そして、前記切替判断ステップは、前記カット可能部分検出ステップによって検出されたカット可能部分と前記カット可能部分識別ステップによって識別されたカット可能部分とが一致するとき、出力切り替えの判断をするものとする。
【００１６】
これらによると、出力中の再生映像信号がカット可能部分に差しかかった場合において、受信映像信号もまた当該カット可能部分に含まれるとき、出力を受信映像信号に切り替える判断がなされる。
【００１７】
好ましくは、上記の映像信号記録再生装置は、前記受信映像信号に重畳される時刻情報を生成する時刻情報生成部と、前記受信映像信号におけるカット可能部分を検出し、前記時刻情報生成部から時刻情報を受けて、前記検出したカット可能部分の開始および終了の時刻情報を記録するカット可能部分検出部と、前記記録された受信映像信号に重畳された時刻情報を抽出する時刻情報抽出部と、前記カット可能部分検出部によって記録された時刻情報および前記時刻情報抽出部によって抽出された時刻情報に基づいて、前記再生映像信号が前記カット可能部分検出部によって検出されたカット可能部分に属するか否かを識別するカット可能部分識別部とを備えたものとする。そして、前記切替判断部は、前記カット可能部分識別部から、前記再生映像信号が前記カット可能部分検出部によって検出されたカット可能部分に属するとの識別結果を受けたとき、前記時刻情報生成部から得た時刻と前記時刻情報抽出部から得た時刻との時間差を算出し、当該時間差と所定値との大小比較を行い、当該時間差が当該所定値以下のとき、出力切り替えの判断をするものとする。
【００１８】
また、好ましくは、上記の半導体集積回路は、前記受信映像信号に重畳される時刻情報を生成する時刻情報生成部と、前記受信映像信号におけるカット可能部分を検出し、前記時刻情報生成部から時刻情報を受けて、前記検出したカット可能部分の開始および終了の時刻情報を記録するカット可能部分検出部と、前記ストレージ装置から読み出したデータに重畳された時刻情報を抽出する時刻情報抽出部と、前記カット可能部分検出部によって記録された時刻情報および前記時刻情報抽出部によって抽出された時刻情報に基づいて、前記再生映像信号が前記カット可能部分検出部によって検出されたカット可能部分に属するか否かを識別するカット可能部分識別部とを備えたものとする。そして、前記切替判断部は、前記カット可能部分識別部から、前記再生映像信号が前記カット可能部分検出部によって検出されたカット可能部分に属するとの識別結果を受けたとき、前記時刻情報生成部から得た時刻と前記時刻情報抽出部から得た時刻との時間差を算出し、当該時間差と所定値との大小比較を行い、当該時間差が当該所定値以下のとき、出力切り替えの判断をするものとする。
【００１９】
また、好ましくは、上記の映像信号記録再生方法は、前記受信映像信号に重畳される時刻情報を生成する時刻情報生成ステップと、前記受信映像信号におけるカット可能部分を検出し、前記時刻情報生成ステップによって生成された時刻情報を受けて、前記検出したカット可能部分の開始および終了の時刻情報を記録するカット可能部分検出ステップと、前記ストレージ装置から読み出したデータに重畳された時刻情報を抽出する時刻情報抽出ステップと、前記カット可能部分検出ステップによって記録された時刻情報および前記時刻情報抽出ステップによって抽出された時刻情報に基づいて、前記再生映像信号が前記カット可能部分検出ステップによって検出されたカット可能部分に属するか否かを識別するカット可能部分識別ステップとを備えたものとする。そして、前記切替判断ステップは、前記カット可能部分識別ステップによって、前記再生映像信号が前記カット可能部分検出ステップによって検出されたカット可能部分に属すると識別されたとき、前記時刻情報生成ステップによって生成された時刻と前記時刻情報抽出ステップによって抽出された時刻との時間差を算出し、当該時間差と所定値との大小比較を行い、当該時間差が当該所定値以下のとき、出力切り替えの判断をするものとする。
【００２０】
これらによると、出力中の再生映像信号がカット可能部分に差しかかった場合において、再生映像信号と受信映像信号との時間差が所定値以下となったとき、出力を受信映像信号に切り替える判断がなされる。
【００２１】
具体的には、前記カット可能部分は、コマーシャル映像である。また、具体的には、前記カット可能部分は、画像および音声が所定時間以上、一定状態である部分である。
【００２２】
好ましくは、上記の映像信号記録再生装置および半導体集積回路は、それぞれ、前記切替判断部の判断に基づいて、出力を前記再生映像信号から前記受信映像信号に切り替える出力切替部を備えたものとする。
【００２３】
また、好ましくは、上記の映像信号記録再生方法は、前記切替判断ステップの判断に基づいて、出力を前記再生映像信号から前記受信映像信号に切り替える出力切替ステップを備えたものとする。
【００２４】
これらによると、切替判断部または切替判断ステップによる出力切り替えの判断に基づいて、出力が再生映像信号から受信映像信号に自動的に切り替わる。
【発明の効果】
【００２５】
以上のように本発明によると、受信映像信号を圧縮符号化して圧縮ストリームデータとしてストレージ装置に記録しながら、その記録した圧縮ストリームデータを再生したものである再生映像信号を出力する場合において、高速再生によって再生映像信号が受信映像信号に極めて近づいた場合に、出力を再生映像信号から受信映像信号に自動的または半自動的に切り替えることができる。特に、アナログ放送の場合、再生映像信号は受信映像信号よりも品質面で劣化しているため、より早い時点で受信映像信号に切り替えることで、快適に番組を視聴することができる。
【発明を実施するための最良の形態】
【００２６】
以下、本発明を実施するための最良の形態について、図面を参照しながら説明する。
【００２７】
（第１の実施形態）
図１は、本発明の第１の実施形態に係る映像信号記録再生装置の構成を示す。本実施形態に係る映像信号記録再生装置は、チューナ１１と、復調部１２と、圧縮符号化部１３と、時刻情報生成部１４と、ストレージ装置としてのハードディスクドライブ１５と、カット可能部分検出部１６と、復号化部１７と、時刻情報抽出部１８と、カット可能部分識別部１９と、切替判断部２０と、出力切替部２１とを備えている。
【００２８】
チューナ１１は、アンテナから受けたテレビジョン信号から任意のチャンネルを選択する。復調部１２は、チューナ１１で選局したチャネルのテレビジョン信号を復調して、ディジタル画像信号およびディジタル音声信号からなる受信映像信号を出力する。圧縮符号化部１３は、復調部１２が出力する受信映像信号に対してＭＰＥＧ（Motion Picture Experts Group）エンコードのような画像音声圧縮符号化処理を行い、ＭＰＥＧエンコード規格で定義されるＳＣＲ（System Clock Reference）やＰＴＳ（Presentation Time Stamp）などの処理開始からの時刻情報と画像および音声の圧縮データとをそれぞれ多重化して、毎秒Ｍビットのデータ量からなる圧縮ストリームデータを生成する。そして、圧縮符号化部１３は、生成した圧縮ストリームデータをハードディスクドライブ１５に記録する。
【００２９】
時刻情報生成部１４は、復調された受信映像信号に重畳される時刻情報を生成するものであり、所定周波数で時刻を計数するタイマーで構成することができる。タイマーの時刻補正は、テレビジョン信号で送られる所定時刻の時報に基づいて自動的に行ってもよいし、また、ユーザ自らが手動で行ってもよい。なお、時刻情報生成部１４の動作は、時刻情報生成ステップに相当する。
【００３０】
カット可能部分検出部１６は、復調部１２が復調した受信映像信号を受け、この受信映像信号におけるカット可能部分を検出する。カット可能部分検出部１６は、時刻情報生成部１４から現在時刻情報を受けており、カット可能部分を検出したとき、その開始および終了の時刻情報をハードディスクドライブ１５に記録する。具体的には、ＭＰＥＧエンコード規格で定義されるＧＯＰ（Group Of Pictures）単位のような所定期間の圧縮ストリームデータを単位として、時刻情報をハードディスクドライブ１５に記録する。なお、カット可能部分検出部１６の動作は、カット可能部分検出ステップに相当する。
【００３１】
カット可能部分検出部１６が検出するカット可能部分として、たとえば、コマーシャル映像の部分や、画像および音声が所定時間以上、一定の状態である部分などが考えられる。コマーシャル映像は視聴者が望んで視聴するものではないため、カットしても特段の問題はない。コマーシャル映像は、受信映像信号が２カ国語放送からステレオ放送に切り替わることによって検出することができる。また、受信映像信号における無音期間の間隔情報に基づいて検出することも可能である。さらに、復調器１２における復調前のテレビジョン信号にコマーシャル情報が多重化されている場合には、その復調前のテレビジョン信号から検出することも可能である。また、番組にコマーシャル映像が含まれない場合であっても、画像および音声が所定時間以上、一定の状態である部分をカット可能部分として検出するとよい。たとえば、静止画像かつ無音部分は、視聴者になんら新たな情報を提供しないため、カットしても特段の問題はない。当該部分の検出は、音声信号レベルの変動が十分に小さい期間が所定期間連続し、かつ、画像信号におけるフレーム期間ごとの画素ごとのレベル絶対差分値総和の変動量が所定期間に渡って十分に小さいことを検出することで行うことができる。
【００３２】
以上のようにして、受信映像信号およびカット可能部分に関する時刻情報がハードディスクドライブ１５に記録される。
【００３３】
一方、復号化部１７は、ハードディスクドライブ１５から圧縮ストリームデータを読み出し、読み出した圧縮ストリームデータに対してＭＰＥＧデコードのような復号化処理を行い、ディジタル画像信号およびディジタル音声信号からなる再生映像信号を出力する。ハードディスクドライブ１５からの圧縮ストリームデータの読み出しは、圧縮符号化部１３による圧縮ストリームデータの書き込みと同時に行うことができる。すなわち、ある映像コンテンツを受信して記録しながら、過去の時点における当該記録された映像コンテンツを読み出して再生することができる。
【００３４】
復号化部１７は、圧縮ストリームデータを、たとえば、記録時の倍の速度、すなわち毎秒２×Ｍビットで連続的に読み出したり、または、不連続に読み出したりする。記録時の倍の速度で連続的に読み出す場合、再生映像信号は、受信映像信号と同じ周期で、通常再生時の２倍の速度で出力される。すなわち、所定期間で見ると、通常再生時に再生される再生映像信号の２枚に１枚を間引きして、倍速で再生映像信号が出力される。一方、不連続に読み出す場合、復号化部１７は、飛び飛びに読み出した圧縮ストリームデータを接続して連続的に再生映像信号を出力する。すなわち、通常再生に比べて映像信号がスキップされながら出力され、結果として再生映像信号が高速に再生される。
【００３５】
時刻情報抽出部１８は、符号化部１７がハードディスクドライブ１５から読み出した圧縮ストリームデータを受け、この圧縮ストリームデータに重畳された時刻情報を抽出する。この時刻情報は、上述したように、時刻情報生成部によって生成され、圧縮符号化部１３によって圧縮ストリームデータに重畳されたものである。なお、時刻情報抽出部１８の動作は、時刻情報抽出ステップに相当する。
【００３６】
カット可能部分識別部１９は、時刻情報抽出部１８が抽出した時刻情報を受け、カット可能部分検出部１６がハードディスクドライブ１５に記録した時刻情報を参照して、再生映像信号がカット可能部分検出部１６によって検出されたカット可能部分に属するか否かを識別する。具体的には、カット可能部分識別部１９は、再生映像信号について抽出された時刻がカット可能部分の開始時刻と終了時刻との間にあれば、当該再生映像信号は当該カット可能部分に属すると識別する。なお、カット可能部分識別部１９の動作は、カット可能部分識別ステップに相当する。
【００３７】
切替判断部２０は、カット可能部分検出部１６が検出したカット可能部分に関する情報と、カット可能部分識別部１９が識別したカット可能部分に関する情報とを受け、これら情報から論理判断を行い、出力切替部２１を制御するための映像切替信号を生成して出力する。具体的には、切替判断部２０は、カット可能部分検出部１６が検出したカット可能部分とカット可能部分識別部１９が識別したカット可能部分と同一であるか否かを検証し、これらが同じものであると判断したとき、出力される映像信号を、再生映像信号から受信映像信号に切り替えるべく映像切替信号を出力する。なお、切替判断部２０の動作は、切替判断ステップに相当する。
【００３８】
切替判断部２０による映像信号切り替えの一例として、再生映像信号を早送り再生中にコマーシャル映像の部分に差しかかり、当該コマーシャル映像がいままさに受信中であるとき、テレビモニタに映し出される映像が自動的に再生映像から受信映像に切り替わることが挙げられる。この場合、コマーシャル映像の一部がカットされることになるが、上述したように、コマーシャル映像は視聴者が望んで視聴するものではないため、特段の問題はない。
【００３９】
出力切替部２１は、復調部１２が復調した受信映像信号と復号化部１７が復号した再生映像信号とを入力し、切替判断部２０が出力する映像切替信号に応じて当該入力した映像信号のいずれか一方を選択し、テレビモニタに出力する。なお、出力切替部２１の動作は、出力切替判断ステップに相当する。
【００４０】
以上、本実施形態によると、再生映像信号を早送り再生や飛ばし見再生などによって高速に再生して、再生映像信号のカット可能部分が受信映像信号のカット可能部分に追いついたとき、出力する映像信号を再生映像信号から受信映像信号に自動的に切り替えることができる。
【００４１】
なお、圧縮符号化部１３、時刻情報生成部１４、カット可能部分検出部１６、復号化部１７、時刻情報抽出部１８、カット可能部分識別部１９、切替判断部２０および出力切替部２１は、半導体集積回路として実現することが可能である。
【００４２】
（第２の実施形態）
図２は、本発明の第２の実施形態に係る映像信号記録再生装置の構成を示す。本実施形態に係る映像信号記録再生装置は、第１の実施形態に係る映像信号記録再生装置から、カット可能部分検出部１６およびカット可能部分識別部１９を省略し、切替判断部２２を備えた構成をしている。以下、切替判断部２２について詳細に説明する。
【００４３】
切替判断部２２は、時刻情報生成部１４から、受信映像信号に重畳される時刻情報を受けるとともに、時刻情報抽出部１８から、再生映像信号について抽出された時刻情報を受け、これら時刻情報から論理判断を行い、出力切替部２１を制御するための映像切替信号を生成して出力する。具体的には、切替判断部２２は、受信映像信号と再生映像信号との時間差として、時刻情報生成部１４から得た時刻と時刻情報抽出部１８から得た時刻との時間差を算出する。そして、この時間差が、所定値よりも大きい場合には、そのまま再生映像信号の出力を継続し、所定値以下の場合には、再生映像信号から受信映像信号に切り替えるべく映像切替信号を出力する。
【００４４】
切替判断部２２による映像信号切り替えの一例として、受信映像信号の記録を開始してから１０分後に記録した当該映像信号の再生を開始する場合を考える。再生を開始してしばらくの間は、受信映像信号の時刻と再生映像信号の時刻が大きく離れているため、視聴者は再生映像信号をテレビモニタに表示して視聴する。再生中、コマーシャル映像などの視聴者にとって不要な映像については、視聴者の操作によって、または、自動的に、高速再生などを行うことが想定される。そして、この高速再生などを複数回繰り返すうちに、再生映像信号と受信映像信号との時間差が徐々に縮まり、この時間差が所定値以下になったとき、自動的に受信映像信号に切り替わる。
【００４５】
以上、本実施形態によると、再生映像信号を早送り再生や飛ばし見再生などによって高速に再生して、再生映像信号の極めて近くにまで追いついたとき、出力する映像信号を再生映像信号から受信映像信号に自動的に切り替えることができる。第１の実施形態では、受信映像信号および再生映像信号のいずれもが、カット可能部分に属していなければ映像信号を自動的に切り替えることができないのに対して、本実施形態では、カット可能部分に属するか否かにかかわらず、再生映像信号が受信映像信号に追いついた時点で映像信号が切り替えられる。したがって、第１の実施形態と比較して、より早い時点で、受信映像信号に切り替えることができる。また、カット可能部分検出部およびカット可能部分識別部を設ける必要がないため、第１の実施形態と比較して、構成がより簡易である。
【００４６】
なお、圧縮符号化部１３、時刻情報生成部１４、復号化部１７、時刻情報抽出部１８、切替判断部２０および出力切替部２１は、半導体集積回路として実現することが可能である。
【００４７】
（第３の実施形態）
第１の実施形態によると、再生映像信号および受信映像信号が同一のカット可能部分に属する場合に、出力が再生映像信号から受信映像信号に切り替わる。したがって、番組本編がカットされることはない。しかし、受信映像信号が少しでもコマーシャル映像から外れてしまうと、次のコマーシャル映像まで出力の切り替えが行われない。
【００４８】
一方、第２の実施形態によると、再生映像信号が受信映像信号に極めて近づいた場合、即座に出力が切り替わる。しかし、出力の切り替えがカット可能部分以外の箇所、すなわち、番組本編の途中で発生することがある。これは、番組本編を視聴したいという視聴者のニーズに反するものであり、好ましくない。
【００４９】
そこで、本発明の第３の実施形態として、より早い時点で、かつ、番組本編を極力カットすることなく出力切り替えを行う映像信号記録再生装置を考える。図３は、本実施形態に係る映像信号記録再生装置の構成を示す。本実施形態に係る映像信号記録再生装置は、第２の実施形態に係る映像信号記録再生装置に、第１の実施形態に係る映像信号記録再生装置におけるカット可能部分検出部１６およびカット可能部分識別部１９を設けた構成をしている。以下、本実施形態の映像信号記録再生装置における切替判断部２３について詳細に説明する。
【００５０】
切替判断部２３は、カット可能部分識別部１９による識別結果を受け、再生映像信号がカット可能部分に属するか否かを知ることができる。切替判断部２３は、通常、第２の実施形態と同様に、再生映像信号と受信映像信号との時間差が所定値以下であるか否かを監視しているが、この時間差が所定値以下となっても、再生映像信号がカット可能部分に属さない限り、自動的に映像信号を切り替えることはしない。これにより、番組本編の途中で自動的に映像信号が切り替わることがない。
【００５１】
また、切替判断部２３は、カット可能部分識別部１９から、再生映像信号がカット可能部分に差しかかっている旨の情報を受けたとき、当該所定値を、当該カット可能部分の時間長よりも長く設定する。たとえば、所定値として１０秒が設定されている場合において、再生映像信号が９０秒間のコマーシャル映像に差しかかったとき、切替判断部２３は、所定値を９３秒に設定して切替判断を行う。ここで、受信映像信号が当該コマーシャル映像を過ぎて、たとえば３秒以内であるとき、受信映像信号と再生映像信号との時間差は最大でも９３秒となり、これは新たに設定した所定以下である。したがって、この場合、映像信号の切り替えが発生する。
【００５２】
上記例の場合、第１の実施形態に係る映像信号記録再生装置では、次のコマーシャル映像まで映像信号の切り替えを行うことができないのに対して、本実施形態によると、次のコマーシャル映像まで待つことなく受信映像信号に切り替えることができる。この場合、コマーシャル映像終了後の３秒以内の本編内容はカットされてしまうが、番組本編の途中の内容がカットされるのと比較して、視聴者が失う情報量は少ないと考えられる。
【００５３】
以上、本実施形態によると、第１の実施形態よりも早い時点で、かつ、カットされてしまう番組本編内容を第２の実施形態よりも少なくして、映像信号の切り替えを行うことができる。
【００５４】
なお、上記の各実施形態に係る映像信号記録再生装置について、出力切替部２１は、再生映像信号から受信映像信号への切り替えを自動的に行うものとしたが、半自動的に、すなわち、映像信号記録再生装置からの指示を受けた視聴者が自ら切り換えを行うようにしてもよい。視聴者自らが切り替える場合には、たとえば、切替判断部２０、２２および２３から、映像信号の切り替えが可能であることを示す信号を視聴者に出力するとよい。
【００５５】
また、上記以外の出力切り替え条件として、再生映像信号のビットレートが所定値よりも低く、かつ、再生映像信号と受信映像信号との時間差が所定値よりも小さい場合に、出力切り換えを行うようにしてもよい。再生映像信号のビットレートが低いということは、当該再生映像が静止画像である、または、画質劣化をきたしていることを意味するものであり、このような場合には、受信映像信号に切り替えた方が好ましいからである。
【００５６】
また、受信映像信号の圧縮符号化に係る発生ビット量が所定値よりも小さく、再生映像信号の復号に係る発生ビット量が所定値よりも小さく、かつ、再生映像信号と受信映像信号との時間差が所定値よりも小さい場合に、出力切り換えを行うようにしてもよい。符号化側および復号側のビットレートがいずれも比較的小さいとき、ビットバッファに蓄積されているデータ量も比較的小さいと推測される。したがって、このような場合に出力切り換えを行っても、欠落してしまうデータ量は比較的小さいと言える。
【００５７】
また、たとえば、視聴者がテレビモニタの方を向いているか否かを検出可能な場合には、再生映像信号と受信映像信号との時間差が所定値よりも小さく、かつ、視聴者が目をそらした隙に、出力切り換えを行うようにしてもよい。この場合、出力切り換えによって番組本編の一部がカットされたとしても、視聴者は映像を見ていないため、特段の問題はないと思われる。
【００５８】
また、上記の各実施形態に係る映像信号記録再生装置は、アナログ放送およびディジタル放送のいずれについても適用可能である。
【産業上の利用可能性】
【００５９】
本発明に係る映像信号記録再生装置は、再生映像信号から受信映像信号への切り替えを自動的に行うことができ、ＤＶＤレコーダやＨＤＤレコーダなどとして有用である。また、コンピュータ用のＴＶ画像キャプチャボートとしても有用である。
【図面の簡単な説明】
【００６０】
【図１】本発明の第１の実施形態に係る映像信号記録再生装置の構成図である。
【図２】本発明の第２の実施形態に係る映像信号記録再生装置の構成図である。
【図３】本発明の第３の実施形態に係る映像信号記録再生装置の構成図である。
【図４】従来の映像信号記録再生装置の構成図である。
【符号の説明】
【００６１】
１４  時刻情報生成部
１５  ハードディスクドライブ（ストレージ装置）
１６  カット可能部分検出部
１８  時刻情報抽出部
１９  カット可能部分識別部
２０、２２、２３  切替判断部
２１  出力切替部
【図１】
2005198203.tif 000003
【図２】
2005198203.tif 000004
【図３】
2005198203.tif 000005
【図４】
2005198203.tif 000006